(57)【要約】  本発明の実施形態は、バッテリから電力を供給する方法、装置、及びシステムを開示する。バッテリから電力を供給する方法は、システム内のサイクルバッテリの電力供給状態を検出し（ここで、システムは、負荷に電力を供給するために、サイクルバッテリを最初に使用し）、サイクルバッテリの電圧が電圧閾値まで低下した場合、負荷に電力を供給するために、スタンバイバッテリを起動することを含む。本発明の実施形態は、異なるタイプのバッテリの混合使用を実施することが可能である。
2013531448.tif 000002
【特許請求の範囲】
【請求項１】
システム内のサイクルバッテリの電力供給状態を検出し、ここで、前記システムは、負荷に電力を供給するために、前記サイクルバッテリを最初に使用し、
前記サイクルバッテリの電圧が電圧閾値まで低下した場合、前記負荷に電力を供給するために、スタンバイバッテリを起動すること
を含む、バッテリから電力を供給する方法。
【請求項２】
前記サイクルバッテリの前記電圧が前記電圧閾値まで低下した場合、前記負荷に電力を供給するために、前記スタンバイバッテリを起動することは、
前記サイクルバッテリの前記電圧が、前記スタンバイバッテリの電圧と同じレベルまで低下した場合、前記負荷に電力を供給するために、前記サイクルバッテリと前記スタンバイバッテリとを並列に接続すること
を含む、請求項１に記載の、バッテリから電力を供給する方法。
【請求項３】
前記サイクルバッテリの前記電圧が前記電圧閾値まで低下した場合、前記負荷に電力を供給するために、前記スタンバイバッテリを起動することは、
前記サイクルバッテリの前記電圧が、予め設定された電圧値まで低下した場合、前記サイクルバッテリが前記負荷に電力を供給するのを停止し、前記負荷に電力を供給するために、前記スタンバイバッテリを使用すること
を含む、請求項１に記載の、バッテリから電力を供給する方法。
【請求項４】
前記スタンバイバッテリの電圧が、前記予め設定された電圧値まで低下した場合、前記負荷に電力を供給するために、前記サイクルバッテリと前記スタンバイバッテリとを並列に接続すること
を更に含む、請求項３に記載の、バッテリから電力を供給する方法。
【請求項５】
前記負荷に電力を供給するために、外部交流電流を使用している場合、前記方法は、
前記交流電流を使用して、前記サイクルバッテリを最初に充電し、
前記サイクルバッテリの充電が完了した後、前記交流電流を使用して、前記スタンバイバッテリを充電すること
を更に含む、請求項１〜４のいずれか一項に記載の、バッテリから電力を供給する方法。
【請求項６】
システム内のサイクルバッテリの電力供給状態を検出するように構成された、検出ユニットと（ここで、前記システムは、負荷に電力を供給するために、サイクルバッテリを最初に使用し）、
前記サイクルバッテリの電圧が、電圧閾値まで低下した場合、前記負荷に電力を供給するために、スタンバイバッテリを起動するように構成された、制御ユニットと
を備える、バッテリから電力を供給する装置。
【請求項７】
前記制御ユニットは、
前記サイクルバッテリの前記電圧が、前記スタンバイバッテリの電圧と同じレベルまで低下した場合、前記負荷に電力を供給するために、前記サイクルバッテリと前記スタンバイバッテリとを並列に接続するように構成された、第１の制御ユニットと、
前記サイクルバッテリの前記電圧が、予め設定された電圧値まで低下した場合、前記サイクルバッテリが前記負荷に電力を供給するのを停止し、前記負荷に電力を供給するために、前記スタンバイバッテリを使用するように構成された、第２の制御ユニットと
を備える、請求項６に記載の、バッテリから電力を供給する装置。
【請求項８】
前記第２の制御ユニットは、
前記スタンバイバッテリの前記電圧が、前記予め設定された電圧値まで低下した場合、前記負荷に電力を供給するために、前記サイクルバッテリと前記スタンバイバッテリとを並列に接続する
ように更に構成される、請求項７に記載の、バッテリから電力を供給する装置。
【請求項９】
前記第１の制御ユニットは、ダイオードと、前記ダイオードの両端に並列に接続された、抵抗とを備え、
前記ダイオードの正電極は、前記スタンバイバッテリの正電極に接続され、前記ダイオードの負電極は、前記サイクルバッテリの正電極に接続され、かつ、電力供給システムの出力正電極に接続され、
前記抵抗は、外部交流電流からの、かつ、前記スタンバイバッテリを充電するために使用される、充電電流を制限するように構成され、
前記ダイオードは、前記サイクルバッテリを、前記スタンバイバッテリに先立って放電するよう制御するように、かつ、前記サイクルバッテリの前記電圧が、前記スタンバイバッテリの前記電圧と同じレベルまで低下した場合、前記スタンバイバッテリ、及び前記サイクルバッテリを、同時に放電するよう制御するように構成される、
請求項７に記載の、バッテリから電力を供給する装置。
【請求項１０】
前記第２の制御ユニットは、前記スタンバイバッテリと電力供給システムとの間に配置された、第１のスイッチ装置と、前記サイクルバッテリと前記電力供給システムとの間に配置された、第２のスイッチ装置と、マイクロ制御サブユニットとを備え、
ここで、前記マイクロ制御サブユニットは、接続又は切断制御信号を、前記第１のスイッチ装置、及び前記第２のスイッチ装置に出力するように構成され、
前記第１のスイッチ装置は、前記スタンバイバッテリと前記電力供給システムとの間の、接続又は切断状態を、対応する制御信号に従って実施するように構成され、
前記第２のスイッチ装置は、前記サイクルバッテリと前記電力供給システムとの間の、接続又は切断状態を、対応する制御信号に従って実施するように構成される、
請求項７に記載の、バッテリから電力を供給する装置。
【請求項１１】
前記サイクルバッテリは、リン酸鉄リチウムバッテリ、又は液式バッテリを備える、請求項６〜１０のいずれか一項に記載の、バッテリから電力を供給する装置。
【請求項１２】
前記スタンバイバッテリは、バルブ制御鉛酸バッテリを備える、請求項６〜１０のいずれか一項に記載の、バッテリから電力を供給する装置。
【請求項１３】
電力供給システムと、負荷と、サイクルバッテリと、スタンバイバッテリと、請求項３〜８のいずれか一項に記載の、バッテリから電力を供給する前記装置とを備え、
前記電力供給システムは、外部交流電流を使用することによって、前記負荷に電力を供給するように、かつ、前記外部交流電流を使用することによって、バッテリから電力を供給する前記装置を介して、前記サイクルバッテリ、及び前記スタンバイバッテリを充電するように構成され、
前記サイクルバッテリ、及び前記スタンバイバッテリは、前記外部交流電流が異常である場合に、バッテリから電力を供給する前記装置を介して、前記負荷に電力を供給するように構成される、
バッテリから電力を供給するシステム。
【発明の詳細な説明】
【技術分野】
【０００１】
本発明は、通信技術の分野に関し、特に、バッテリから電力を供給する方法、装置、及びシステムに関する。
【背景技術】
【０００２】
モバイル通信の規模の急速な発展に伴い、無人の屋外基地局の数が増加している。ほとんどの屋外基地局は、一般に、遠隔地域に位置しているため、電源供給条件は不利であり、又は、更には、基地局のための電源供給が得られない。現在のネットワークにおける、電源供給のない通信基地局の大多数は、代わりに、ダブルオイルエンジン（ｄｏｕｂｌｅ  ｏｉｌ  ｅｎｇｉｎｅｓ）を、電力を供給するために使用する。低コストかつ低オイル消費の、新たな電力供給解決策の出現につれて、多数の通信基地局が、最適化、及び再設計を必要とするようになっている。
【０００３】
基地局の実際の再設計の間、新しい、及び古いバッテリ、又は異なるタイプのバッテリは、異なる内部抵抗を有するため、それらのバッテリは、混合して使用されることはできない。この問題に対処するための、一般的な従来のやり方は、基地局の、元の鉛酸バッテリ（ｌｅａｄ  ａｃｉｄ  ｂａｔｔｅｒｉｅｓ）を直ちに廃棄し、それらのバッテリを、新しいバッテリに、すなわち、長寿命、及びディープサイクルを有する、リチウム鉄バッテリ（ｌｉｔｈｉｕｍ  ｉｒｏｎ  ｂａｔｔｅｒｉｅｓ）に置き換えることである。しかし、古い鉛酸バッテリを所構わず廃棄することは、深刻な環境汚染、及び無駄な出費を発生させ、加えて、従来のメンテナンスフリーの鉛酸バッテリのサイクル寿命は、十分ではなく、これは、屋外の悪環境下での長時間の循環的適用には不利であり、悪循環（バッテリがすぐに故障する−古いバッテリが廃棄されて新しいバッテリセットに置き換えられる−新しいバッテリがすぐに故障する）を形成する傾向があり、現在のところ、大きな容量を有するリチウム鉄バッテリは、構成することが困難であり、基地局のバックアップ電力要求をバッテリ容量が満たすことが困難であり、かつ価格が高く、従って、大容量構成は、システムのコストを大幅に増加させる。
【０００４】
前述の技術的欠点を回避するために、かつ、コスト、及び電力バックアップ時間を考慮して、基地局の実際の再設計の間、従来技術では、元の古いバッテリセットを維持し、新しいバッテリセットを、古いバッテリセットと、使用のために並列に接続することを試みている。図１に示すように、図１は、従来技術の実施の概略図であり、この実施は、交流電流入力と、電力供給システムと、バッテリセットと、負荷とを主として含み、様々な装置が、必要に応じて、負荷に接続されてもよく、バッテリセットは、古いバッテリセット１、及び並列に接続された新しいバッテリセット２によって形成される。
【発明の概要】
【発明が解決しようとする課題】
【０００５】
しかし、研究の間に、発明者は、従来技術が少なくとも以下の欠点を有することを見い出した。
【０００６】
バッテリの内部抵抗は、製造業者によって大きく異なり、バッテリの使用率、タイプ、及び仕様、並びに、放電特性も異なる。新しいバッテリと、古いバッテリとが、使用のために並列に直接接続された場合、顕著なバイアス電流が生成され、これにより、長寿命を有する新しいバッテリでさえ影響を受ける可能性があり、これはバッテリのサイクル寿命を大幅に減少させる。更に悪いことには、バッテリセットが過充電又は過放電され、結果として、バッテリが膨張して破損し、重大な安全上の問題が発生する可能性がある。
【課題を解決するための手段】
【０００７】
従来技術の欠点を考慮して、本発明の実施形態は、異なるタイプのバッテリの混合使用を実施することが可能な、バッテリから電力を供給する方法、装置、及びシステムを提供する。
【０００８】
本発明の一実施形態は、
システム内のサイクルバッテリ（ｃｙｃｌｉｎｇ  ｂａｔｔｅｒｙ）の電力供給状態を検出し、ここで、システムは、負荷に電力を供給するために、サイクルバッテリを最初に使用し、
サイクルバッテリの電圧が電圧閾値まで低下した場合、負荷に電力を供給するために、スタンバイバッテリ（ｓｔａｎｄｂｙ  ｂａｔｔｅｒｙ）を起動することを含む、バッテリから電力を供給する方法を提供する。
【０００９】
本発明の一実施形態は、
システム内のサイクルバッテリの電力供給状態を検出するように構成された、検出ユニットと（ここで、システムは、負荷に電力を供給するために、サイクルバッテリを最初に使用し）、
サイクルバッテリの電圧が、電圧閾値まで低下した場合、負荷に電力を供給するために、スタンバイバッテリを起動するように構成された、制御ユニットとを含む、バッテリから電力を供給する装置を提供する。
【００１０】
本発明の一実施形態は、電力供給システムと、負荷と、サイクルバッテリと、スタンバイバッテリと、バッテリから電力を供給する前述の装置とを含む、バッテリから電力を供給するシステムも提供し、ここで、
電力供給システムは、外部交流電流を使用することによって、負荷に電力を供給するように、かつ、外部交流電流を使用することによって、バッテリから電力を供給する装置を介して、サイクルバッテリ、及びスタンバイバッテリを充電するように構成され、
サイクルバッテリ、及びスタンバイバッテリは、外部交流電流が異常である場合に、バッテリから電力を供給する装置を介して、負荷に電力を供給するように構成される。
【発明の効果】
【００１１】
従来技術と比較して、本発明の実施形態の技術的解決法は、以下の利点を有する。
【００１２】
本発明の実施形態では、サイクルバッテリの、ディープサイクルを有し、長寿命であるという特性を利用し、負荷に電力を供給するために、最初に、サイクルバッテリが使用され、そして、電圧閾値を設定することによって、サイクルバッテリの電圧が電圧閾値まで低下した場合、負荷に電力を供給するために、スタンバイバッテリが起動される。従って、異なるタイプの、及び異なる放電特性を有する、サイクルバッテリとスタンバイバッテリとが並行して使用されることが可能である。よって、古いスタンバイバッテリが再利用されることが可能であり、スタンバイバッテリの利用率が向上する可能性があり、スタンバイバッテリセットの寿命が延ばされることが可能であり、スタンバイバッテリの交換頻度が減らされることが可能である。
【００１３】
同時に、異なるタイプの、及び異なる放電特性を有する、サイクルバッテリとスタンバイバッテリとの並行使用は、スタンバイバッテリの容量が不十分であるという欠点を解決し、システムの電力バックアップ時間、及び信頼性を向上させることが可能である。
【００１４】
本発明の実施形態の技術的解決法をより明確にするために、実施形態又は従来技術の説明において使用される添付の図面について、以下に簡単に説明する。明らかに、添付の図面は、本発明のいくつかの例示的実施形態のみを説明するものであり、当業者は、それらの図面に基づいて、創造的な活動を行うことなく、その他の図面を取得することが可能である。
【図面の簡単な説明】
【００１５】
【図１】従来技術における、新しい、及び古いバッテリセットを使用した電力供給の概略図である。
【図２】本発明の一実施形態による、バッテリから電力を供給する方法のステップのフローチャートである。
【図３】本発明の一実施形態による、バッテリから電力を供給する別の方法のステップのフローチャートである。
【図４】本発明の一実施形態による、バッテリから電力を供給する装置の概略構成図トである。
【図５】第１の制御ユニットの概略構成図である。
【図６】第２の制御ユニットの概略構成図である。
【図７】本発明の一実施形態による、バッテリから電力を供給するシステムの概略構成図である。
【図８】本発明の一実施形態による、バッテリから電力を供給するシステムの実施の概略構成図である。
【図９】本発明の一実施形態による、バッテリから電力を供給するシステムの別の実施の概略構成図である。
【発明を実施するための形態】
【００１６】
本発明の実施形態の技術的解決法について、本発明の実施形態における添付の図面を参照して、以下に明確かつ完全に説明する。説明される実施形態は、本発明の全ての実施形態ではなく、本発明のいくつかの例示的実施形態にすぎないということは明白である。当業者が、本発明の実施形態に基づいて、創造的な活動を行うことなく取得する、その他の全ての実施形態も、本発明の保護範囲内に入る。
【００１７】
本発明の実施形態の技術的解決法によれば、サイクルバッテリの、ディープサイクルを有し、長寿命であるという特性と、スタンバイバッテリの、電力バックアップとして不十分な容量を提供するという特性とを利用する。これにより、異なるタイプの、及び異なる放電特性を有する、サイクルバッテリとスタンバイバッテリとが並行して使用され、スタンバイバッテリの利用率が向上する。
【００１８】
最初に、本発明の一実施形態による、バッテリから電力を供給する方法について、以下に説明する。図２を参照すると、図２は、この方法のステップの概略フローチャートであり、この方法は、以下のステップを含んでもよい。
【００１９】
ステップ１０１：システム内のサイクルバッテリの電力供給状態が検出され、ここで、システムは、負荷に電力を供給するために、サイクルバッテリを最初に使用する。
【００２０】
ステップ１０２：サイクルバッテリの電圧が電圧閾値まで低下した場合、負荷に電力を供給するために、スタンバイバッテリが起動される。
【００２１】
本発明の実施形態では、サイクルバッテリの、ディープサイクルを有し、長寿命であるという特性が効果的に利用され、電圧閾値を設定することによって、負荷は、サイクルバッテリによって、長時間ベースで電力を供給され、スタンバイバッテリは、サイクルバッテリの電圧が電圧閾値まで低下した場合のみ、負荷に電力を供給するために起動され、これにより、小さな容量を有するスタンバイバッテリが、負荷の電力パックアップをサポートすることが可能になる。従って、サイクルバッテリ、及びスタンバイバッテリは、それらのそれぞれの利点を生かすことができ、古いスタンバイバッテリが再利用されることが可能であり、スタンバイバッテリセットの寿命が延ばされることが可能であり、スタンバイバッテリの交換回数が減らされることが可能であり、基地局のための電力供給システムの再設計における投資が減少させられることが可能であり、起こり得る環境汚染が減らされることが可能である。加えて、サイクルバッテリとスタンバイバッテリとの並行使用は、スタンバイバッテリの不十分な容量、及び基地局の不十分な電力バックアップ時間という、現在の欠点を解決し、基地局のための電力供給システムの信頼性を向上させ、通信回線の円滑さを保証することが可能である。
【００２２】
本発明の実施形態では、スタンバイバッテリは、一般に、小さな電力貯蔵量、及び短いサイクル寿命を有し（例えば、バルブ制御鉛酸バッテリ（ｖａｌｖｅ−ｃｏｎｔｒｏｌｌｅｄ  ｌｅａｄ  ａｃｉｄ  ｂａｔｔｅｒｙ））、サイクルバッテリは、一般に、大きな電力貯蔵量、及び長いサイクル寿命を有する（例えば、リン酸鉄リチウムバッテリ（ｌｉｔｈｉｕｍ  ｉｒｏｎ  ｐｈｏｓｐｈａｔｅ  ｂａｔｔｅｒｙ）、又は液式バッテリ（ｆｌｏｏｄｅｄ  ｂａｔｔｅｒｙ））、ということに留意されたい。基地局のための従来の電力供給システムは、一般に、小さな電力貯蔵量、及び短いサイクル寿命を有する、スタンバイバッテリを使用する。
【００２３】
本発明の実施形態では、負荷に電力を供給するために、スタンバイバッテリを起動することは、サイクルバッテリの電圧が電圧閾値まで低下するという条件に従い、この実施プロセスは、２つの特定の実施を含んでもよい。
【００２４】
一実施では、サイクルバッテリの電圧が、スタンバイバッテリの電圧と同じレベルまで低下した場合、負荷に電力を供給するために、サイクルバッテリとスタンバイバッテリとが並列に接続される。この実施では、電力供給システムに接続されていないスタンバイバッテリの現在の電圧が、サイクルバッテリの電圧閾値として直接使用され、サイクルバッテリの電圧が、スタンバイバッテリの電圧と同じレベルまで低下した場合、スタンバイバッテリとサイクルバッテリとが並列に接続された後、負荷に電力を供給するために、スタンバイバッテリとサイクルバッテリとが使用される。
【００２５】
別の実施では、サイクルバッテリの電圧が、予め設定された電圧値まで低下した場合、サイクルバッテリによる負荷への電力供給が停止され、負荷に電力を供給するために、スタンバイバッテリが使用される。この実施では、サイクルバッテリの電圧が、予め設定された電圧値まで低下した場合、スタンバイバッテリが、単独で負荷に電力を供給するために使用され、この実施は、スタンバイバッテリが短時間のバックアップ電力を負荷に供給するために使用される適用シナリオに適用可能である。
【００２６】
前述の第２の実施に関して、本発明の一実施形態は、バッテリから電力を供給する別の方法を提供する。図３に示すように、この方法は、以下を含む。
【００２７】
ステップ３０１：システム内のサイクルバッテリの電力供給状態が検出され、ここで、システムは、負荷に電力を供給するために、サイクルバッテリを最初に使用する。
【００２８】
ステップ３０２：サイクルバッテリの電圧が、予め設定された電圧値まで低下した場合、サイクルバッテリによる負荷への電力供給が停止され、負荷に電力を供給するために、スタンバイバッテリが使用される。
【００２９】
ステップ３０３：スタンバイバッテリの電圧が、予め設定された電圧値まで低下した場合、負荷に電力を供給するために、サイクルバッテリとスタンバイバッテリとが並列に接続される。
【００３０】
本発明のこの実施形態では、サイクルバッテリ、及びスタンバイバッテリのために、均一の電圧値が予め設定され、最初に、サイクルバッテリが、負荷に電力を供給するために使用され、単独のサイクルバッテリの電圧が、予め設定された電圧値まで低下した場合、スタンバイバッテリが、単独で負荷に電力を供給するために起動され、スタンバイバッテリの電圧も、予め設定された電圧値まで低下した場合のみ、サイクルバッテリが電力供給システムに再び接続され、スタンバイバッテリと並列に接続されて、共同で負荷に電力を供給する。従って、スタンバイバッテリが十分に利用されることが可能である。
【００３１】
前述の実施形態の技術的解決法は、外部交流電流が異常である場合に、サイクルバッテリ、及びスタンバイバッテリが、負荷に電力を供給する、適用シナリを説明する。外部交流電流が正常である場合、外部交流電流が、通常、負荷に電力を供給し、同時に、サイクルバッテリ、及びスタンバイバッテリは、外部交流電流を、充電のために使用する。充電の間、サイクルバッテリが、通常、最初に充電され、サイクルバッテリの充電が完了した後、スタンバイバッテリが充電され、これにより、負荷への電力供給を維持するためにバッテリが使用される場合、負荷は、サイクルバッテリによって、長時間ベースで電力を供給され、小さな容量を有するスタンバイバッテリが、負荷の電力バックアップをサポートする、ということが保証される。
【００３２】
本発明の実施形態の技術的解決法について、本発明の実施形態における添付の図面を参照して、以下に明確かつ完全に説明する。
【００３３】
バッテリから電力を供給する前述の方法の、更なる理解を容易にするために、本発明について、本発明の一実施形態による、バッテリから電力を供給する装置の特定の実施を参照して、以下に詳細に説明する。図４に示すように、バッテリから電力を供給する装置２０は、
システム内のサイクルバッテリの電力供給状態を検出するように構成された、検出ユニット２０１と（ここで、システムは、負荷に電力を供給するために、サイクルバッテリを最初に使用し）、
サイクルバッテリの電圧が、電圧閾値まで低下した場合、負荷に電力を供給するために、スタンバイバッテリを起動するように構成された、制御ユニット２０２とを含む。
【００３４】
本発明の実施形態では、サイクルバッテリの、ディープサイクルを有し、長寿命であるという特性が効果的に利用され、外部交流電流が負荷に電力を供給することができない場合、最初に、サイクルバッテリが、負荷に電力を供給する。すなわち、負荷は、サイクルバッテリによって、長時間ベースで電力を供給され、スタンバイバッテリは、サイクルバッテリの電圧が電圧閾値まで低下した場合のみ、負荷に電力を供給するために起動される。バッテリから電力を供給する装置は、小さな容量を有するスタンバイバッテリを、負荷の電力パックアップをサポートするために使用する、ということがわかる。従って、サイクルバッテリ、及びスタンバイバッテリは、それらのそれぞれの利点を生かすことができ、古いスタンバイバッテリが再利用されることが可能であり、スタンバイバッテリセットの寿命が延ばされることが可能であり、スタンバイバッテリの交換回数が減らされることが可能であり、基地局のための電力供給システムの再設計における投資が減少させられることが可能であり、起こり得る環境汚染が減らされることが可能である。加えて、サイクルバッテリとスタンバイバッテリとの並行使用は、スタンバイバッテリの容量が不十分であること、及び基地局の電力バックアップ時間が不十分であることという、現在の欠点を解決し、基地局のための電力供給システムの信頼性を向上させ、通信回線の円滑さを保証することが可能である。
【００３５】
本発明の実施形態の技術的解決法によれば、制御ユニットは、
サイクルバッテリの電圧が、スタンバイバッテリの電圧と同じレベルまで低下した場合、負荷に電力を供給するために、サイクルバッテリとスタンバイバッテリとを並列に接続するように構成された、第１の制御ユニットと、
サイクルバッテリの電圧が、予め設定された電圧値まで低下した場合、サイクルバッテリが負荷に電力を供給するのを停止し、負荷に電力を供給するために、スタンバイバッテリを使用するように構成された、第２の制御ユニットとを含む、ということに留意されたい。
【００３６】
本発明の実施形態による制御ユニットは、バッテリが電力を供給する２つのやり方を提供する、ということがわかる。
【００３７】
本発明の実施形態の、別の好ましい技術的解決法では、第２の制御ユニットは、スタンバイバッテリの電圧が、予め設定された電圧値まで低下した場合、負荷に電力を供給するために、サイクルバッテリとスタンバイバッテリとを並列に接続するように更に構成される。
【００３８】
外部交流電流が異常である場合、バッテリから電力を供給する装置を介して、サイクルバッテリ、及びスタンバイバッテリが、負荷に電力を供給するために使用されてもよい。外部交流電流が正常である場合、外部交流電流が、通常、負荷に電力を供給し、同時に、サイクルバッテリ、及びスタンバイバッテリは、外部交流電流を、充電のために使用する。従って、制御ユニットは、外部交流電流を使用することによる、サイクルバッテリ、及びスタンバイバッテリの充電の間、サイクルバッテリを最初に充電するよう交流電流を制御し、サイクルバッテリの充電が完了した後、スタンバイバッテリを充電するよう交流電流を制御するように、更に構成される。これにより、負荷への電力供給を維持するためにバッテリが使用される場合、負荷は、サイクルバッテリによって、長時間ベースで電力を供給され、小さな容量を有するスタンバイバッテリが、負荷の電力バックアップをサポートする、ということが保証される。
【００３９】
当業者が本発明の技術的解決法を実施する場合、第１の制御ユニットについて、以下の実施が使用されてもよい。
【００４０】
図５に示すように、第１の制御ユニットは、ダイオード３０１と、ダイオード３０１の両端に並列に接続された、抵抗３０２とを含んでもよい。ダイオード３０１の正電極は、スタンバイバッテリ３０３の正電極に接続され、ダイオード３０１の負電極は、サイクルバッテリ３０４の正電極に接続され、かつ、電力供給システム３０５の出力正電極に接続され、電力供給システム３０５は、外部交流電流が正常である場合、負荷に電力を供給するために、外部交流電流を直接使用するように、かつ、サイクルバッテリ、及びスタンバイバッテリを充電するために、外部交流電流を使用するように構成される。
【００４１】
抵抗３０２は、外部交流電流からの、かつ、スタンバイバッテリ３０３を充電するために使用される、充電電流を制限するように構成される。
【００４２】
ダイオード３０１は、サイクルバッテリ３０４を、スタンバイバッテリ３０３に先立って放電するよう制御するように、かつ、サイクルバッテリ３０４の電圧が、スタンバイバッテリ３０３の電圧と同じレベルまで低下した場合、スタンバイバッテリ３０３、及びサイクルバッテリ３０４を、同時に放電するよう制御するように構成される。
【００４３】
外部交流電流の入力が正常であり、かつ、負荷が、外部交流電流によって電力を供給される場合、電力供給システムは、サイクルバッテリを直接充電し、スタンバイバッテリは、電流制限抵抗Ｒｌによって充電され、これにより、一次電流がサイクルバッテリを充電し、二次電流がスタンバイバッテリを充電する、ということが保証される。
【００４４】
外部交流電流の入力が異常である場合、負荷は、サイクルバッテリ、及びスタンバイバッテリによって電力を供給され、そして、ダイオードの反転特性と、サイクルバッテリ、及びスタンバイバッテリの、異なる電圧プラトーとに従って、サイクルバッテリが、通常、優先的に放電される。この時、高い電圧プラトーを有するサイクルバッテリは、低い電圧プラトーを有するスタンバイバッテリを充電しなくてもよく（これにより、バイアス電流が回避され）、スタンバイバッテリは、一時的に切断されて、放電されず、サイクルバッテリの電圧が、スタンバイバッテリの電圧と同じレベルまで低下した場合、スタンバイバッテリは放電を開始し、スタンバイバッテリとサイクルバッテリとが並列に接続されて、共同で負荷に電力を供給する。このようにして、サイクルバッテリの、大きな容量を有し、高い放電率を有し、長いサイクル寿命を有するという特性が十分に利用されることが可能であり、小さな容量を有するスタンバイバッテリは、負荷の電力バックアップをサポートするように構成されることが可能であり、負荷の長時間の電力バックアップは、サイクルバッテリによってサポートされる。本発明の実施形態は、スタンバイバッテリの再利用を、単純かつ簡便な手法で実施するための、実現可能なやり方を提供する、ということがわかる。
【００４５】
第２の制御ユニットの一実施では、図６に示すように、第２の制御ユニットは、スタンバイバッテリ３０３と電力供給システム３０５との間に配置された、第１のスイッチ装置３０６と、サイクルバッテリ３０４と電力供給システム３０５との間に配置された、第２のスイッチ装置３０７と、マイクロ制御サブユニット３０８とを含んでもよい。
【００４６】
マイクロ制御サブユニット３０８は、接続又は切断制御信号を、第１のスイッチ装置３０６、及び第２のスイッチ装置３０７に出力するように構成される。
【００４７】
第１のスイッチ装置３０６は、スタンバイバッテリ３０３と電力供給システム３０５との間の、接続又は切断状態を、対応する制御信号に従って実施するように構成される。
【００４８】
第２のスイッチ装置３０７は、サイクルバッテリ３０４と電力供給システム３０５との間の、接続又は切断状態を、対応する制御信号に従って実施するように構成される。
【００４９】
交流電流の入力が正常である場合、マイクロ制御サブユニット３０８は、サイクルバッテリ３０４と電力供給システム３０５との間の接続を実施するために、接続制御信号を、第２のスイッチ装置３０７に出力し、スタンバイバッテリ３０３と電力供給システムとの間の切断を実施するために、切断制御信号を、第１のスイッチ装置３０６に出力する。サイクルバッテリ３０４が、電力供給システム３０５と接続されている場合、サイクルバッテリ３０４は、外部交流電流を、充電のために使用し、サイクルバッテリの充電が完了した後、マイクロ制御サブユニット３０８は、切断制御信号を、第２のスイッチ装置３０７に出力し、スタンバイバッテリ３０３と電力供給システム３０５との間の接続を実施するために、接続制御信号を、第１のスイッチ装置３０６に出力し、スタンバイバッテリ３０３が、外部交流電流を、充電のために使用し、スタンバイバッテリ３０３の充電が完了した後、マイクロ制御サブユニット３０８は、切断制御信号を、第１のスイッチ装置３０６に出力する。
【００５０】
マイクロ制御サブユニット３０８は、サイクルバッテリを最初に充電するように、外部交流電流を制御し、サイクルバッテリの充電が完了した後、スタンバイバッテリを充電するように、交流電流を制御するために使用されてもよい。これにより、負荷への電力供給を維持するためにバッテリが使用される場合、負荷は、サイクルバッテリによって、長時間ベースで電力を供給され、小さな容量を有するスタンバイバッテリが、負荷の電力バックアップをサポートする、ということが保証される、ということがわかる。
【００５１】
加えて、外部交流電力の入力が、異常であり、かつ、負荷に電力を供給できない場合、マイクロ制御サブユニット３０８は、サイクルバッテリ３０４、及びスタンバイバッテリ３０３を、負荷に電力を供給するように制御する。特定の実施は、以下の通りである。マイクロ制御サブユニット３０８は、サイクルバッテリ３０４と電力供給システム３０５との間の接続を実施するために、接続制御信号を、第２のスイッチ装置３０７に最初に出力し、次に、サイクルバッテリ３０４が、最初に負荷に電力を供給し、検出ユニット２０１は、サイクルバッテリ３０４の電力供給状態を同時に検出し、サイクルバッテリ３０４の電圧が、予め設定された電圧値まで低下した場合、マイクロ制御サブユニット３０８は、サイクルバッテリ３０４が負荷に電力を供給するのを停止するために、切断制御信号を、第２のスイッチ装置３０７に出力し、同時に、マイクロ制御サブユニット３０８は、スタンバイバッテリ３０３と電力供給システム３０５との間の接続を実施するために、接続制御信号を、第１のスイッチ装置３０６に出力し、次に、スタンバイバッテリ３０３が、負荷に電力を供給し、検出ユニット２０１は、スタンバイバッテリ３０３の電力供給状態を同時に検出し、スタンバイバッテリ３０３の電圧が、予め設定された電圧値まで低下した場合、マイクロ制御サブユニット３０８は、サイクルバッテリ３０４と電力供給システム３０５との間の接続を実施するために、接続制御信号を、第２のスイッチ装置３０７に再び出力し、従って、サイクルバッテリ３０４とスタンバイバッテリ３０３とが、負荷に電力を供給するために、並列に接続される。
【００５２】
第１のスイッチ装置３０６、及び第２のスイッチ装置３０７の、特定の実施は、電力供給システム３０５と各バッテリとの間の、接続又は切断を実施するために、適用シナリオに応じて選択的に設定されてもよく、例えば、三極トランジスタ、及びＭＯＳトランジスタに設定されてもよい。本発明は、これに関して特定の制約を課さない。
【００５３】
このようにして、異なる仕様、及び異なる使用率を有する、異なるタイプのバッテリの並行使用のための解決法が実施され、従って、サイクルバッテリ、及びスタンバイバッテリは、それらのそれぞれの利点を生かすことができ、古いスタンバイバッテリが再利用されることが可能であり、スタンバイバッテリセットの寿命が延ばされることが可能であり、スタンバイバッテリの交換回数が減らされることが可能であり、基地局のための電力供給システムの再設計における投資が減少させられることが可能であり、起こり得る環境汚染が減らされることが可能である。加えて、サイクルバッテリとスタンバイバッテリとの並行使用は、スタンバイバッテリの不十分な容量、及び基地局の不十分な電力バックアップ時間という、現在の欠点を解決し、基地局のための電力供給システムの信頼性を向上させ、通信回線の円滑さを保証することが可能である。
【００５４】
バッテリから電力を供給する前述の装置に対応して、本発明の一実施形態は、バッテリから電力を供給するシステムを更に提供する。図７に示すように、このシステムは、電力供給システム３０５と、負荷３０９と、サイクルバッテリ３０４と、スタンバイバッテリ３０３と、バッテリから電力を供給する装置２０とを含んでもよく、ここで、電力供給システム３０５は、外部交流電流を使用することによって、負荷３０９に電力を供給するように、かつ、外部交流電流を使用して、バッテリから電力を供給する装置２０を介して、サイクルバッテリ３０４、及びスタンバイバッテリ３０３を充電するように構成され、サイクルバッテリ３０４、及びスタンバイバッテリ３０３は、外部交流電流が異常である場合に、バッテリから電力を供給する装置を介して、負荷３０９に電力を供給するように構成され、バッテリから電力を供給する装置２０は、
システム内のサイクルバッテリ３０４の電力供給状態を検出するように構成された、検出ユニット２０１と（ここで、システムは、負荷３０９に電力を供給するために、サイクルバッテリ３０４を最初に使用し）、
サイクルバッテリ３０４の電圧が、電圧閾値まで低下した場合、負荷３０９に電力を供給するために、スタンバイバッテリ３０３を起動するように構成された、制御ユニット２０２とを含む。
【００５５】
本発明の実施形態では、サイクルバッテリの、ディープサイクルを有し、長寿命であるという特性が利用され、負荷は、サイクルバッテリによって、長時間ベースで電力を供給され、小さな容量を有するスタンバイバッテリが、負荷の電力パックアップをサポートする。従って、サイクルバッテリ、及びスタンバイバッテリは、それらのそれぞれの利点を生かすことができ、古いスタンバイバッテリが再利用されることが可能であり、スタンバイバッテリセットの寿命が延ばされることが可能であり、スタンバイバッテリの交換回数が減らされることが可能であり、基地局のための電力供給システムの再設計における投資が減少させられることが可能であり、起こり得る環境汚染が減らされることが可能である。加えて、サイクルバッテリとスタンバイバッテリとの並行使用は、スタンバイバッテリの不十分な容量、及び基地局の不十分な電力バックアップ時間という、現在の欠点を解決し、基地局のための電力供給システムの信頼性を向上させ、通信回線の円滑さを保証することが可能である。
【００５６】
図８、及び図９は、それぞれ、バッテリから電力を供給するシステムの、２つの特定の実施形態である。図８に示すように、バッテリから電力を供給する装置２０の特定の実施は、ダイオード３０１と、ダイオード３０１の両端に並列に接続された、抵抗３０２とを含む。ダイオード３０１の正電極は、スタンバイバッテリ３０３の正電極に接続され、ダイオード３０１の負電極は、サイクルバッテリ３０４の正電極に接続され、かつ、電力供給システム３０５の出力正電極に接続される。
【００５７】
抵抗３０２は、外部交流電流からの、かつ、スタンバイバッテリ３０３を充電するために使用される、充電電流を制限するように構成される。
【００５８】
ダイオード３０１は、サイクルバッテリ３０４を、スタンバイバッテリ３０３に先立って放電するよう制御するように、かつ、サイクルバッテリ３０４の電圧が、スタンバイバッテリ３０３の電圧と同じレベルまで低下した場合、スタンバイバッテリ３０３、及びサイクルバッテリ３０４を、同時に放電するよう制御するように構成される。
【００５９】
図９に示すように、バッテリから電力を供給する装置２０の特定の実施は、スタンバイバッテリ３０３と電力供給システム３０５との間に配置された、第１のスイッチ装置３０６と、サイクルバッテリ３０４と電力供給システム３０５との間に配置された、第２のスイッチ装置３０７と、マイクロ制御サブユニット３０８とを含む。マイクロ制御サブユニット３０８は、接続又は切断制御信号を、第１のスイッチ装置３０６、及び第２のスイッチ装置３０７に出力するように構成され、第１のスイッチ装置３０６は、スタンバイバッテリ３０３と電力供給システム３０５との間の、接続又は切断状態を、対応する制御信号に従って実施するように構成され、第２のスイッチ装置３０７は、サイクルバッテリ３０４と電力供給システム３０５との間の、接続又は切断状態を、対応する制御信号に従って実施するように構成される。
【００６０】
第１のスイッチ装置３０６、及び第２のスイッチ装置３０７の、特定の実施は、電力供給システム３０５と各バッテリとの間の、接続又は切断を実施するために、適用シナリオに応じて選択的に設定されてもよく、例えば、三極トランジスタ、及びＭＯＳトランジスタに設定されてもよい。本発明は、これに関して特定の制約を課さない。
【００６１】
図８、及び図９における、バッテリから電力を供給する装置の、特定の動作原理は、上記で対応して説明したため、本発明のこの実施形態では、ここで再度繰り返して説明することはしない。
【００６２】
本発明の実施形態による、バッテリから電力を供給するシステムを使用すれば、外部交流電流の入力が正常である場合、外部交流電流が、サイクルバッテリを最初に充電するように制御されてもよく、サイクルバッテリの充電が完了した後、交流電流は、スタンバイバッテリを充電するように制御される。
【００６３】
同時に、外部交流電流を使用することによる、サイクルバッテリ、及びスタンバイバッテリの充電の間、交流電流は、サイクルバッテリを最初に充電するように制御されてもよく、サイクルバッテリの充電が完了した後、交流電流は、スタンバイバッテリを充電するように制御されてもよく、これにより、負荷への電力供給を維持するためにバッテリが使用される場合、負荷は、サイクルバッテリによって、長時間ベースで電力を供給され、小さな容量を有するスタンバイバッテリが、負荷の電力バックアップをサポートする、ということが保証される。
【００６４】
加えて、前述の全ての実施形態において、サイクルバッテリは、リン酸鉄リチウムバッテリ、又は液式バッテリを含み、スタンバイバッテリは、バルブ制御鉛酸バッテリを含む。
【００６５】
上記の方法実施形態のステップの全て又は一部は、関連するハードウェアに指示するプログラムによって実施されてもよいということを、当業者は理解するであろう。プログラムは、コンピュータ読み取り可能な記憶媒体内に記憶されてもよく、プログラムが実行される場合、上記の方法実施形態のステップが含まれ、前述の記憶媒体は、ＲＯＭ、ＲＡＭ、磁気ディスク、及びＣＤ−ＲＯＭなどの、プログラムコードを記憶することが可能な任意の媒体であってもよい。
【００６６】
本発明の前述の実施形態における、バッテリから電力を供給する装置は、ソフトウェア、ハードウェア、又はソフトウェアとハードウェアとの組み合わせによって実施されてもよく、本発明の実施形態は、これに関して特定の制約を課さない。
【００６７】
方法及びシステム実施形態は、基本的に、装置実施形態に対応するため、方法及びシステム実施形態の説明は簡素であり、関連する部分については、装置実施形態の説明を参照されたい。上述の装置実施形態は、例示的なものにすぎず、実施形態において、個別の構成要素として説明されたモジュールは、物理的に分離していてもいなくてもよく、モジュールとして示された構成要素は、物理的なモジュールであってもなくてもよく、すなわち、１つの場所に位置してもよく、又は、複数のネットワークモジュール上に分散されてもよい。モジュールの一部又は全ては、実施形態の解決法の目的を実施するための、実際の要求に従って選択されてもよい。当業者は、創造的な活動を行うことなく、実施形態を理解し、実施することが可能である。
【００６８】
開示された実施形態の、上記の説明は、当業者が本発明を作製又は使用することを可能にする。実施形態に対する様々な修正は、当業者に容易に明らかとなるものであり、本明細書中で規定された一般的な原理は、本発明の実施形態の概念及び範囲から逸脱することなく、他の実施形態に適用されることが可能である。従って、本発明の実施形態は、本明細書中に示された実施形態に限定されるものではなく、本明細書中で開示された原理及び新規な特徴に一致する、最も広い範囲に一致するものである。
【図１】
2013531448.tif 000003
【図２】
2013531448.tif 000004
【図３】
2013531448.tif 000005
【図４】
2013531448.tif 000006
【図５】
2013531448.tif 000007
【図６】
2013531448.tif 000008
【図７】
2013531448.tif 000009
【図８】
2013531448.tif 000010
【図９】
2013531448.tif 000011
【手続補正書】
【提出日】平成24年9月21日(2012.9.21)
【手続補正１】
【補正対象書類名】明細書
【補正対象項目名】０００５
【補正方法】変更
【補正の内容】
【０００５】
しかし、研究の間に、従来技術が少なくとも以下の欠点を有することが見い出された。
【手続補正２】
【補正対象書類名】明細書
【補正対象項目名】００１５
【補正方法】変更
【補正の内容】
【００１５】
【図１】従来技術における、新しい、及び古いバッテリセットを使用した電力供給の概略図である。
【図２】本発明の一実施形態による、バッテリから電力を供給する方法のフローチャートである。
【図３】本発明の一実施形態による、バッテリから電力を供給する別の方法のフローチャートである。
【図４】本発明の一実施形態による、バッテリから電力を供給する装置の概略構成図トである。
【図５】第１の制御ユニットの概略構成図である。
【図６】第２の制御ユニットの概略構成図である。
【図７】本発明の一実施形態による、バッテリから電力を供給するシステムの概略構成図である。
【図８】本発明の一実施形態による、バッテリから電力を供給するシステムの実施の概略構成図である。
【図９】本発明の一実施形態による、バッテリから電力を供給するシステムの別の実施の概略構成図である。
【手続補正３】
【補正対象書類名】明細書
【補正対象項目名】００１８
【補正方法】変更
【補正の内容】
【００１８】
最初に、本発明の一実施形態による、バッテリから電力を供給する方法について、以下に説明する。図２を参照すると、図２は、この方法の概略フローチャートであり、この方法は、以下のステップを含んでもよい。
【手続補正４】
【補正対象書類名】明細書
【補正対象項目名】００４７
【補正方法】変更
【補正の内容】
【００４７】
第１のスイッチ装置３０６は、スタンバイバッテリ３０３と電力供給システム３０５との間の、接続又は切断状態を、接続又は切断制御信号に従って実施するように構成される。
【手続補正５】
【補正対象書類名】明細書
【補正対象項目名】００４８
【補正方法】変更
【補正の内容】
【００４８】
第２のスイッチ装置３０７は、サイクルバッテリ３０４と電力供給システム３０５との間の、接続又は切断状態を、接続又は切断制御信号に従って実施するように構成される。
【手続補正６】
【補正対象書類名】明細書
【補正対象項目名】００５９
【補正方法】変更
【補正の内容】
【００５９】
図９に示すように、バッテリから電力を供給する装置２０の特定の実施は、スタンバイバッテリ３０３と電力供給システム３０５との間に配置された、第１のスイッチ装置３０６と、サイクルバッテリ３０４と電力供給システム３０５との間に配置された、第２のスイッチ装置３０７と、マイクロ制御サブユニット３０８とを含む。マイクロ制御サブユニット３０８は、接続又は切断制御信号を、第１のスイッチ装置３０６、及び第２のスイッチ装置３０７に出力するように構成され、第１のスイッチ装置３０６は、スタンバイバッテリ３０３と電力供給システム３０５との間の、接続又は切断状態を、接続又は切断制御信号に従って実施するように構成され、第２のスイッチ装置３０７は、サイクルバッテリ３０４と電力供給システム３０５との間の、接続又は切断状態を、接続又は切断制御信号に従って実施するように構成される。
【手続補正７】
【補正対象書類名】特許請求の範囲
【補正対象項目名】全文
【補正方法】変更
【補正の内容】
【特許請求の範囲】
【請求項１】
システム内のサイクルバッテリの電力供給状態を検出し、ここで、前記システムは、負荷に電力を供給するために、前記サイクルバッテリを最初に使用し、
前記サイクルバッテリの電圧が電圧閾値まで低下した場合、前記負荷に電力を供給するために、スタンバイバッテリを起動すること
を含む、バッテリから電力を供給する方法。
【請求項２】
前記サイクルバッテリの前記電圧が前記電圧閾値まで低下した場合、前記負荷に電力を供給するために、前記スタンバイバッテリを起動することは、
前記サイクルバッテリの前記電圧が、前記スタンバイバッテリの電圧と同じレベルまで低下した場合、前記負荷に電力を供給するために、前記サイクルバッテリと前記スタンバイバッテリとを並列に接続すること
を含む、請求項１に記載の、バッテリから電力を供給する方法。
【請求項３】
前記サイクルバッテリの前記電圧が前記電圧閾値まで低下した場合、前記負荷に電力を供給するために、前記スタンバイバッテリを起動することは、
前記サイクルバッテリの前記電圧が、予め設定された電圧値まで低下した場合、前記サイクルバッテリが前記負荷に電力を供給するのを停止し、前記負荷に電力を供給するために、前記スタンバイバッテリを使用すること
を含む、請求項１に記載の、バッテリから電力を供給する方法。
【請求項４】
前記スタンバイバッテリの電圧が、前記予め設定された電圧値まで低下した場合、前記負荷に電力を供給するために、前記サイクルバッテリと前記スタンバイバッテリとを並列に接続すること
を更に含む、請求項３に記載の、バッテリから電力を供給する方法。
【請求項５】
前記負荷に電力を供給するために、外部交流電流を使用している場合、前記方法は、
前記交流電流を使用して、前記サイクルバッテリを最初に充電し、
前記サイクルバッテリの充電が完了した後、前記交流電流を使用して、前記スタンバイバッテリを充電すること
を更に含む、請求項１〜４のいずれか一項に記載の、バッテリから電力を供給する方法。
【請求項６】
システム内のサイクルバッテリの電力供給状態を検出するように構成された、検出ユニットと（ここで、前記システムは、負荷に電力を供給するために、サイクルバッテリを最初に使用し）、
前記サイクルバッテリの電圧が、電圧閾値まで低下した場合、前記負荷に電力を供給するために、スタンバイバッテリを起動するように構成された、制御ユニットと
を備える、バッテリから電力を供給する装置。
【請求項７】
前記制御ユニットは、
前記サイクルバッテリの前記電圧が、前記スタンバイバッテリの電圧と同じレベルまで低下した場合、前記負荷に電力を供給するために、前記サイクルバッテリと前記スタンバイバッテリとを並列に接続するように構成された、第１の制御ユニットと、
前記サイクルバッテリの前記電圧が、予め設定された電圧値まで低下した場合、前記サイクルバッテリが前記負荷に電力を供給するのを停止し、前記負荷に電力を供給するために、前記スタンバイバッテリを使用するように構成された、第２の制御ユニットと
を備える、請求項６に記載の、バッテリから電力を供給する装置。
【請求項８】
前記第２の制御ユニットは、
前記スタンバイバッテリの前記電圧が、前記予め設定された電圧値まで低下した場合、前記負荷に電力を供給するために、前記サイクルバッテリと前記スタンバイバッテリとを並列に接続する
ように更に構成される、請求項７に記載の、バッテリから電力を供給する装置。
【請求項９】
前記第１の制御ユニットは、ダイオードと、前記ダイオードの両端に並列に接続された、抵抗とを備え、
前記ダイオードの正電極は、前記スタンバイバッテリの正電極に接続され、前記ダイオードの負電極は、前記サイクルバッテリの正電極に接続され、かつ、電力供給システムの出力正電極に接続され、
前記抵抗は、外部交流電流からの、かつ、前記スタンバイバッテリを充電するために使用される、充電電流を制限するように構成され、
前記ダイオードは、前記サイクルバッテリを、前記スタンバイバッテリに先立って放電するよう制御するように、かつ、前記サイクルバッテリの前記電圧が、前記スタンバイバッテリの前記電圧と同じレベルまで低下した場合、前記スタンバイバッテリ、及び前記サイクルバッテリを、同時に放電するよう制御するように構成される、
請求項７又は８に記載の、バッテリから電力を供給する装置。
【請求項１０】
前記第２の制御ユニットは、前記スタンバイバッテリと電力供給システムとの間に配置された、第１のスイッチ装置と、前記サイクルバッテリと前記電力供給システムとの間に配置された、第２のスイッチ装置と、マイクロ制御サブユニットとを備え、
ここで、前記マイクロ制御サブユニットは、接続又は切断制御信号を、前記第１のスイッチ装置、及び前記第２のスイッチ装置に出力するように構成され、
前記第１のスイッチ装置は、前記スタンバイバッテリと前記電力供給システムとの間の、接続又は切断状態を、接続又は切断制御信号に従って実施するように構成され、
前記第２のスイッチ装置は、前記サイクルバッテリと前記電力供給システムとの間の、接続又は切断状態を、接続又は切断制御信号に従って実施するように構成される、
請求項７〜９のいずれか一項に記載の、バッテリから電力を供給する装置。
【請求項１１】
前記サイクルバッテリは、リン酸鉄リチウムバッテリ、又は液式バッテリを備える、請求項６〜１０のいずれか一項に記載の、バッテリから電力を供給する装置。
【請求項１２】
前記スタンバイバッテリは、バルブ制御鉛酸バッテリを備える、請求項６〜１０のいずれか一項に記載の、バッテリから電力を供給する装置。
【請求項１３】
電力供給システムと、負荷と、サイクルバッテリと、スタンバイバッテリと、請求項６〜１２のいずれか一項に記載の、バッテリから電力を供給する前記装置とを備え、
前記電力供給システムは、外部交流電流を使用することによって、前記負荷に電力を供給するように、かつ、前記外部交流電流を使用することによって、バッテリから電力を供給する前記装置を介して、前記サイクルバッテリ、及び前記スタンバイバッテリを充電するように構成され、
前記サイクルバッテリ、及び前記スタンバイバッテリは、前記外部交流電流が異常である場合に、バッテリから電力を供給する前記装置を介して、前記負荷に電力を供給するように構成される、
バッテリから電力を供給するシステム。
【国際調査報告】
2013531448.tif 000012
2013531448.tif 000013
2013531448.tif 000014
2013531448.tif 000015